(57)【特許請求の範囲】
【請求項１】
近傍領域を撮像することが可能な撮像部と、
前記撮像部により撮像された写真を表示することが可能な表示部と、
前記近傍領域に存在する携帯端末からアドレスを取得する取得部と、
前記写真を表示部に表示し、表示した写真に映っている人と前記取得部により取得されたアドレスとを結び付けさせ、前記近傍領域に存在した携帯端末との間で前記アドレスを用いてのメッセージのやり取りを行うための前記写真を含む通信用画面を作成する作成部と、
前記近傍領域に存在した携帯端末との間で前記通信用画面を介してメッセージのやり取りを行う通信部と
を具備する携帯端末であって、
前記取得部は、当該携帯端末の近傍領域に存在する携帯端末が入力でき、入力した携帯端末より当該携帯端末に対してアドレスの入力なしにアドレスを送信させことができるＱＲコード（登録商標）を前記表示部に表示し、前記ＱＲコード（登録商標）を入力した携帯端末からアドレスを取得する
携帯端末。
【請求項２】
近傍領域を撮像することが可能な撮像部と、
前記撮像部により撮像された写真を表示することが可能な表示部と、
前記近傍領域に存在する携帯端末からアドレスを取得する取得部と、
前記写真を表示部に表示し、表示した写真に映っている人と前記取得部により取得されたアドレスとを結び付けさせ、前記近傍領域に存在した携帯端末との間で前記アドレスを用いてのメッセージのやり取りを行うための前記写真を含む通信用画面を作成する作成部と、
前記近傍領域に存在した携帯端末との間で前記通信用画面を介してメッセージのやり取りを行う通信部と
を具備する携帯端末であって、
前記表示部は、タッチスクリーンを含み、
前記作成部は、前記タッチスクリーンに前記写真と共に前記取得部により取得されたアドレスと結び付けられたオブジェクトを表示させ、前記タッチスクリーン上で前記オブジェクトを前記写真に写っている人にタップさせることで、前記写真に映っている人と前記取得部により取得されたアドレスとを結び付けさせる
携帯端末。
【請求項３】
近傍領域を撮像することが可能な撮像部と、
前記撮像部により撮像された写真を表示することが可能な表示部と、
前記近傍領域に存在する携帯端末からアドレスを取得する取得部と、
前記写真を表示部に表示し、表示した写真に映っている人と前記取得部により取得されたアドレスとを結び付けさせ、前記近傍領域に存在した携帯端末との間で前記アドレスを用いてのメッセージのやり取りを行うための前記写真を含む通信用画面を作成する作成部と、
前記近傍領域に存在した携帯端末との間で前記通信用画面を介してメッセージのやり取りを行う通信部と
を具備する携帯端末であって、
前記メッセージのやり取りを行う際に、前記メッセージを発した人と写真に写っている人とを視覚的に結び付けて、前記通信用画面を前記表示部に表示させる表示制御部
を具備する携帯端末。
【請求項４】
請求項１から請求項３のうちいずれか１項に記載の携帯端末であって、
前記取得部は、当該携帯端末の近傍領域に存在する携帯端末を検出することができるシステムに対して当該携帯端末の位置情報を送信して近傍領域に存在する携帯端末を検出することを依頼し、前記システムから近傍領域に存在する携帯端末のアドレスを取得する
携帯端末。
【請求項５】
近傍領域に存在する携帯端末からアドレスを取得し、
撮像部により撮像した近傍領域の写真を表示部に表示して、表示した写真に映っている人と前記取得したアドレスとを結び付けさせ、
前記近傍領域に存在した携帯端末との間で前記アドレスを用いてのメッセージのやり取りを行うための前記写真を含む通信用画面を作成し、
前記近傍領域に存在した携帯端末との間で前記通信用画面を介してメッセージのやり取りを行う携帯端末を用いた通信方法であって、
当該携帯端末の近傍領域に存在する携帯端末が入力でき、入力した携帯端末より当該携帯端末に対してアドレスの入力なしにアドレスを送信させことができるＱＲコード（登録商標）を前記表示部に表示し、当該携帯端末は前記ＱＲコード（登録商標）を入力した携帯端末からアドレスを取得する
携帯端末を用いた通信方法。
【請求項６】
近傍領域に存在する携帯端末からアドレスを取得し、
撮像部により撮像した近傍領域の写真を表示部に表示して、表示した写真に映っている人と前記取得したアドレスとを結び付けさせ、
前記近傍領域に存在した携帯端末との間で前記アドレスを用いてのメッセージのやり取りを行うための前記写真を含む通信用画面を作成し、
前記近傍領域に存在した携帯端末との間で前記通信用画面を介してメッセージのやり取りを行う携帯端末を用いた通信方法であって、
前記表示部は、タッチスクリーンを含み、
前記タッチスクリーンに前記写真と共に前記近傍領域に存在する携帯端末より取得したアドレスと結び付けられたオブジェクトを表示し、前記タッチスクリーン上で前記オブジェクトを前記写真に写っている人にタップすることで、前記写真に映っている人と前記近傍領域に存在する携帯端末より取得したアドレスとを結び付ける
携帯端末を用いた通信方法。
【請求項７】
近傍領域に存在する携帯端末からアドレスを取得し、
撮像部により撮像した近傍領域の写真を表示部に表示して、表示した写真に映っている人と前記取得したアドレスとを結び付けさせ、
前記近傍領域に存在した携帯端末との間で前記アドレスを用いてのメッセージのやり取りを行うための前記写真を含む通信用画面を作成し、
前記近傍領域に存在した携帯端末との間で前記通信用画面を介してメッセージのやり取りを行う携帯端末を用いた通信方法であって、
前記メッセージのやり取りを行う際に、前記メッセージを発した人と写真に写っている人とを視覚的に結び付けて、前記通信用画面を前記表示部に表示する
携帯端末を用いた通信方法。
【請求項８】
近傍領域に存在する携帯端末からアドレスを取得するステップと、
撮像部により撮像した近傍領域の写真を表示部に表示して、表示した写真に映っている人と前記取得したアドレスとを結び付けさせるステップと、
前記近傍領域に存在した携帯端末との間で前記アドレスを用いてのメッセージのやり取りを行うための前記写真を含む通信用画面を作成するステップと、
前記近傍領域に存在した携帯端末との間で前記通信用画面を介してメッセージのやり取りを行うステップと
を携帯端末に実行させるプログラムであって、さらに、
当該携帯端末の近傍領域に存在する携帯端末が入力でき、入力した携帯端末より当該携帯端末に対してアドレスの入力なしにアドレスを送信させことができるＱＲコード（登録商標）を前記表示部に表示させるステップと、
前記ＱＲコード（登録商標）を入力した携帯端末からアドレスを取得するステップと
を携帯端末に実行させるプログラム。
【請求項９】
近傍領域に存在する携帯端末からアドレスを取得するステップと、
撮像部により撮像した近傍領域の写真を表示部に表示して、表示した写真に映っている人と前記取得したアドレスとを結び付けさせるステップと、
前記近傍領域に存在した携帯端末との間で前記アドレスを用いてのメッセージのやり取りを行うための前記写真を含む通信用画面を作成するステップと、
前記近傍領域に存在した携帯端末との間で前記通信用画面を介してメッセージのやり取りを行うステップと
を携帯端末に実行させるプログラムであって、
前記表示部は、タッチスクリーンを含み、前記プログラムは、さらに、
前記タッチスクリーンに前記写真と共に前記近傍領域に存在する携帯端末より取得したアドレスと結び付けられたオブジェクトを表示させるステップと、
前記タッチスクリーン上で前記オブジェクトを前記写真に写っている人にタップすることで、前記写真に映っている人と前記近傍領域に存在する携帯端末より取得したアドレスとを結び付けるステップと
を携帯端末に実行させるプログラム。
【請求項１０】
近傍領域に存在する携帯端末からアドレスを取得するステップと、
撮像部により撮像した近傍領域の写真を表示部に表示して、表示した写真に映っている人と前記取得したアドレスとを結び付けさせるステップと、
前記近傍領域に存在した携帯端末との間で前記アドレスを用いてのメッセージのやり取りを行うための前記写真を含む通信用画面を作成するステップと、
前記近傍領域に存在した携帯端末との間で前記通信用画面を介してメッセージのやり取りを行うステップと
を携帯端末に実行させるプログラムであって、さらに、
前記メッセージのやり取りを行う際に、前記メッセージを発した人と写真に写っている人とを視覚的に結び付けて、前記通信用画面を前記表示部に表示させるステップ
を携帯端末に実行させるプログラム。
【発明の詳細な説明】
【技術分野】
【０００１】
本発明は、携帯端末、携帯端末を用いた通信方法及びプログラムに関する。
【背景技術】
【０００２】
合同コンパや懇親会、セミナーなどの場において、その日のお礼も言いたいし、その日会った人と今後も連絡を取っていきたい。しかし、家に帰ってからフェースブックで探すことや名刺からアドレスを入力してメールを送ることは面倒であり、また名刺だけでは顔と名前が一致しないこともある。
特許文献１〜５には、本発明に関連する技術が開示されている。
【先行技術文献】
【特許文献】
【０００３】
【特許文献１】特開２０１０−１５２４７７号公報
【特許文献２】特開２００９−１７５８８７号公報
【特許文献３】特開２００９−１１３０８４号公報
【特許文献４】特開２００５−２６７１４６号公報
【特許文献５】特開２００５−１９１９１１号公報
【発明の概要】
【発明が解決しようとする課題】
【０００４】
本発明の課題は、これまでにはない全く新規なものである。すなわち、本発明の課題は、人とアドレスとの結び付けを簡単かつ直感的な操作で行うことができ、結び付けられたアドレスを使ってメッセージのやり取りを視覚的に人と結び付けて行うことができる携帯端末、携帯端末を用いた通信方法及びプログラムを提供することにある。
【課題を解決するための手段】
【０００５】
本発明に係る携帯端末は、近傍領域を撮像することが可能な撮像部と、前記撮像部により撮像された写真を表示することが可能な表示部と、前記近傍領域に存在する携帯端末からアドレスを取得する取得部と、前記写真を表示部に表示し、表示した写真に映っている人と前記取得部により取得されたアドレスとを結び付けさせ、前記近傍領域に存在した携帯端末との間で前記アドレスを用いてのメッセージのやり取りを行うための前記写真を含む通信用画面を作成する作成部と、前記近傍領域に存在した携帯端末との間で前記通信用画面を介してメッセージのやり取りを行う通信部とを具備する。
【０００６】
本発明では、近傍領域に存在する携帯端末からアドレスを取得しているので、アドレスの入力は不要であり、しかもそのように取得したアドレスを写真に映っている人と結び付けさせているので、人とアドレスとの結び付けを簡単かつ直感的な操作で行うことができ、結び付けられたアドレスを使ってメッセージのやり取りを視覚的に人と結び付けて行うことができる。
【０００７】
本発明は、前記取得部が、当該携帯端末の近傍領域に存在する携帯端末を検出することができるシステムに対して当該携帯端末の位置情報を送信して近傍領域に存在する携帯端末を検出することを依頼、または近傍領域に存在する携帯端末に通知し、前記システムから近傍領域に存在する携帯端末のアドレスを取得するように構成してもよい。
ここで、位置情報については、携帯端末のＧＰＳ通信機能によりＧＰＳによって特定する方法、携帯端末の最寄りの基地局の位置によって特定する方法、携帯端末の無線ＬＡＮ通信機能により、店舗や会場の無線基地局の位置によって特定する方法をなどによって取得してもよいし、これらの方法を複合して取得するようにしても構わない。
これにより、近傍領域に存在する携帯端末からアドレスを簡単に取得することができる。
【０００８】
本発明は、前記取得部が、当該携帯端末の近傍領域に存在する携帯端末が入力でき、入力した携帯端末より当該携帯端末に対してアドレスの入力なしにアドレスを送信させことができるＱＲコードを前記表示部に表示し、前記ＱＲコードを入力した携帯端末からアドレスを取得するように構成してもよい。
これにより、近傍領域に存在する携帯端末からアドレスを簡単に取得することができる。
【０００９】
本発明は、前記表示部が、タッチスクリーンを含み、前記作成部は、前記タッチスクリーンに前記写真と共に前記取得部により取得されたアドレスと結び付けられたオブジェクトを表示させ、前記タッチスクリーン上で前記オブジェクトを前記写真に写っている人にタップさせることで、前記写真に映っている人と前記取得部により取得されたアドレスとを結び付けさせるように構成してもよい。
これにより、写真に映っている人とアドレスとを簡単かつ確実に結び付けることができる。
【００１０】
本発明は、前記メッセージのやり取りを行う際に、前記メッセージを発した人と写真に写っている人とを視覚的に結び付けて、前記通信用画面を前記表示部に表示させる表示制御部をさらに具備するように構成してもよい。
これにより、メッセージを発した人が視覚的に分かりやすくなる。
【００１１】
本発明に係る携帯端末を用いた通信方法は、近傍領域に存在する携帯端末からアドレスを取得し、撮像部により撮像した近傍領域の写真を表示部に表示して、表示した写真に映っている人と前記取得したメールアドレスとを結び付けさせ、前記近傍領域に存在した携帯端末との間で前記アドレスを用いてのメッセージのやり取りを行うための前記写真を含む通信用画面を作成し、前記近傍領域に存在した携帯端末との間で前記通信用画面を介してメッセージのやり取りを行うものである。
【００１２】
本発明に係るプログラムは、携帯端末に、近傍領域に存在する携帯端末からアドレスを取得するステップと、撮像部により撮像した近傍領域の写真を表示部に表示して、表示した写真に映っている人と前記取得したアドレスとを結び付けさせるステップと、前記近傍領域に存在した携帯端末との間で前記アドレスを用いてのメッセージのやり取りを行うための前記写真を含む通信用画面を作成するステップと、前記近傍領域に存在した携帯端末との間で前記通信用画面を介してメッセージのやり取りを行うステップとを実行させるものである。
【発明の効果】
【００１３】
本発明では、人とアドレスとの結び付けを簡単かつ直感的な操作で行うことができ、結び付けられたアドレスを使ってメッセージのやり取りを視覚的に人と結び付けて行うことができる。
【図面の簡単な説明】
【００１４】
【図１】本発明の一実施形態に係るシステム全体の構成を示す図である。
【図２】図１に示した携帯端末の構成を示すブロック図である。
【図３】撮影者が所持する携帯端末と共有者が所持する携帯端末との間で写真を共有してメッセージ交換を行うまでの画面の遷移を示す図である。
【図４】ＴＯＰ画面の一例である
【図５】ユーザー画面の一例である。
【図６】カメラ画面の一例である。
【図７】写真共有設定画面の一例である。
【図８】写真共有画面の一例である。
【図９】写真共有画面の一例である。
【図１０】具体的なＴＯＰ画面の例である。
【図１１】共有中写真一覧が表示された画面例である。
【図１２】撮影者によって共有された写真のサムネイルの表示例である。
【図１３】写真画面の一例である。
【図１４】メッセージ入力画面の一例である。
【図１５】システム全体の動作を示すフローである。
【図１６】システム全体の動作を示すフローである。
【図１７】携帯端末がアプリケーションプログラムを持たない携帯電話などである場合のシステム全体の動作フローである。
【図１８】図１７の場合の写真共有画面の一例である。
【図１９】図１７の場合の写真共有画面の一例である。
【図２０】図１７の場合の写真共有画面の一例である。
【図２１】図１７の場合の写真共有画面の一例である。
【図２２】携帯端末などが単にメールアドレスを有する場合のシステム全体の動作フローである。
【図２３】図２２の場合のメールの一例である。
【図２４】図２２の場合の登録用画面の一例である。
【図２５】図２２の場合のユーザー専用のＷｅｂページの一例である。
【図２６】図２２の場合の写真画面の一例である。
【図２７】ｆａｃｅｂｏｏｋアカントを使う場合のシステムの一部の動作を示すフローである。
【図２８】写真共有画面でのネームタグのドラッグの変形例を示す図である。
【図２９】写真共有画面でのネームタグのドラッグの変形例を示す図である。
【図３０】写真共有画面でのネームタグのドラッグの変形例を示す図である。
【図３１】写真共有画面でのネームタグのドラッグの変形例を示す図である。
【図３２】写真画面におけるメッセージ欄からの吹き出し表示を変形例を示す図である。
【図３３】写真画面におけるメッセージ欄からの吹き出し表示を変形例を示す図である。
【発明を実施するための形態】
【００１５】
以下、図面を参照しながら、本発明の実施形態を説明する。
［システム構成］
図１は、本発明の一実施形態に係るシステム全体の構成を示す図である。
図１に示すように、近傍領域１には、複数の携帯端末１００、１０１が存在する。携帯端末１００、１０１は、通信ネットワーク２に接続可能とされている。
【００１６】
携帯端末１００、１０１としては、例えばスマートフォンや携帯電話などである。ここでは、携帯端末１００は撮影者が所持し、それ以外の携帯端末１０１は共有者が所持しているものとする。撮影者とは、写真を撮影し、共有者に配布する人をいい、共有者とは、撮影者から写真をもらい、会話に参加する人をいう。
【００１７】
近傍領域１とは、撮影者の近傍の領域であり、撮影者と関連ある複数の人が集う領域をいう。言い換えれば、近傍領域１とは、集合写真を撮ることがあるような領域をいう。近傍領域１としては、例えば撮影者が参加をしている合同コンパやセミナー、懇親会などが開催されている領域、卒業式や同窓会などが行われている領域、新入社員が集ったり、入学式が行われたり、会社内のプロジェクトメンバーが集う領域、家族が集合したりする領域などをいう。
［携帯端末の構成］
図２は、携帯端末１００、１０１の構成を示すブロック図である。
【００１８】
携帯端末１００は、ＣＰＵ（Central Processing Unit）を含む制御部１１１、ＲＯＭ（Read Only Memory）１１２、ＲＡＭ（Random Access Memory）１１３、入出力インターフェース１１５、及びこれらを互いに接続するバス１１４と、カメラ１１６、タッチスクリーン１１７とを備える。
【００１９】
制御部１１１は、必要に応じてＲＡＭ１１３等に適宜アクセスし、各演算処理を行いながら電子機器１００の各ブロック全体を統括的に制御する。制御部１１１は、タッチスクリーン１１７へのタッチ操作やドラッグ操作等に応じて、タッチスクリーン１１７への表示を制御する。
ＲＯＭ１１２は、制御部１１１に実行させるＯＳ、プログラムや各種パラメータなどのファームウェアが固定的に記憶されている不揮発性のメモリである。
ＲＡＭ１１３は、制御部１１１の作業用領域などとして用いられ、ＯＳ、実行中の各種アプリケーションプログラム、処理中の各種データを一時的に保持する。
入出力インターフェース１１５には、タッチスクリーン１１７、ネットワーク１１８等が接続される。
【００２０】
ネットワーク１１８は、無線によって通信ネットワーク２に接続する。タッチスクリーン１１７は、例えば入力装置としてのタッチパネルと表示部としての液晶パネルとで構成される。
［システム全体の流れ］
【００２１】
図３は、撮影者が所持する携帯端末１００と共有者が所持する携帯端末１０１との間で写真を共有してメッセージ交換を行うまでの画面の遷移を示す図である。ここでは、携帯端末１００及び携帯端末１０１の両方が、写真を共有してメッセージ交換を行うためのアプリケーションプログラムを有する場合を示している。図４から図１４は各画面の一例を示している。図１５及び図１６は携帯端末などシステム全体の動作を示すフローである。
・ＴＯＰ画面（写真一覧画面）３００（撮影者及び共有者の共通の画面）
ＴＯＰ画面３００は、このアプリケーションプログラムを開いたときの最初の画面である。ＴＯＰ画面３００には、共有している写真一覧が表示される。
図４は、ＴＯＰ画面３００の一例である。
【００２２】
ＴＯＰ画面３００には、共有している写真３０１の一覧が表示される。これらの写真３０１において、新たに人物が追加されたときや新しいメッセージがあるときには、マーク３０２が表示される。これらはスクロール可能であり、いずれかの写真３０１が画面上でタップされると、写真が開き、後述する写真（通信用画面）を使ったメッセージのやり取りが行われるようになっている。
【００２３】
写真３０１の一覧の下には、共有ボタン３０３、カメラボタン３０４、ユーザー設定ボタン３０５が配置されている。
【００２４】
ここで、カメラボタン３０４がタップされる（ステップ１５０１）と、カメラ画面３２０が表示される。
【００２５】
なお、ユーザー設定ボタン３０５がタップされると、ユーザー画面３１０によるユーザー設定が行われる。
・ユーザー画面３１０（撮影者及び共有者の共通の画面）
【００２６】
ユーザー画面３１０では、ユーザー設定が行われる。ユーザー設定では、ユーザーがアプリケーション所有者のユーザー名、ユーザーの写真、電子メールアドレス、SNSアカウント等を設定する。
図５は、ユーザー画面３１０の一例である。
【００２７】
ユーザー画面３１０には、ユーザー名３１１、ユーザー写真３１２、共有写真数３１３、電子メールアドレス３１４、Ｆａｃｅｂｏｏｋアカウント３１５、ｔｗｉｔｔｅｒアドレス３１６等の項目がある。ユーザー名３１１では、写真に表示される名前が設定される。ユーザー写真３１２では、撮影者のときに表示される顔写真が設定される。共有写真数３１３には、自分が共有した写真や共有された写真の枚数がそれぞれ表示される。電子メールアドレス３１４では、メッセージの更新を受信する電子メールアドレスが設定される。Ｆａｃｅｂｏｏｋアカウント３１５では、Ｆａｃｅｂｏｏｋで写真を共有するためのＦａｃｅｂｏｏｋアカウントが設定される。ｔｗｉｔｔｅｒアドレス３１６では、ｔｗｉｔｔｅｒでメッセージのやり取り行うためのｔｗｉｔｔｅｒアドレスが設定される。
これらの項目の下には、登録ボタン３１７が配置される。登録ボタン３１７がタップされると、項目に設定されたことが登録され、ＴＯＰ画面３００に戻る。
・カメラ画面３２０
カメラ画面３２０では、ユーザーがアプリケーションプログラム内のカメラ機能で写真を撮影又は当該携帯端末に保存されている写真を選択する。
図６は、カメラ画面３２０の一例である。
【００２８】
カメラ画面３２０には、その場でカメラ１１６に入力されている画面又は選択した写真３２１が表示される。ここで、入力した写真とは、その場でカメラ１１６により撮影（ステップ１５０１）し保存（ステップ１５０２）した写真であり、選択した写真とは、すでにカメラ１１６により撮影して保存されている写真、或いはメモリや通信を介して入手した写真であって、その中からユーザーによって選択された写真である。この写真３２１の下部には上記の選択可能な写真３２２が並べて表示される（ステップ１５０３）。これらの写真３２２はスクロール可能であり、いずれかの写真をタップにより選択する（ステップ１５０４）と、写真３２１として表示される（ステップ１５０５、１５０６）。カメラ画面３２０には、共有ボタン３２３が配置されている。共有ボタン３２３がタップされると（ステップ１５０７）、写真共有設定画面３３０が表示される（ステップ１５０８、１５０９）。
・写真共有設定画面３３０
写真共有設定画面３３０では、ユーザーが写真のタイトルを入力し、共有方法を設定し、共有の開始を指示する。
図７は、写真共有設定画面３３０の一例である。
【００２９】
写真共有設定画面３３０には、写真リスト選択３３１、写真タイトル３３２、撮影者からのメッセージ３３３、公開設定３３４等の項目がある。写真リスト選択３３１では、写真のジャンル（同窓会、仕事、学校等）に応じた写真リストが選択される。写真タイトル３３２では、その写真のタイトルが入力される。撮影者からのメッセージ３３３には、撮影者からのメッセージが入力される。公開設定３３４では、Ｆａｃｅｂｏｏｋに写真をアップロードするかが設定され、またｔｗｉｔｔｅｒに会話を公開するかが設定される。写真共有設定画面３３０の下部には、登録ボタン３３５が配置されている。上記の入力を経て（ステップ１５１０−１５１４）、登録ボタン３３５がタップされると（ステップ１５１５）、共有受付準備が開始される（ステップ１５１６）。
【００３０】
共有受付準備が開始されると、携帯端末１００内部より外部サービスに対して位置情報取得の依頼がされ（ステップ１５１７）、外部サービスから携帯端末１００内部に対して位置情報が得られる（ステップ１５１８）。この位置情報と写真と設定された値が携帯端末１００内部よりフロントＤＢサーバにアップロードされ（ステップ１５１９）、フロントＤＢサーバで写真のＷｅｂページが作成せれてＷｅｂサーバにアップされる（ステップ１５２０）。Ｗｅｂサーバにより、携帯端末１００に対して写真共有のＵＲＬが送信され（ステップ１５２１）、設定されている場合には外部サービスであるＦａｃｅｂｏｏｋへ写真ＵＲＬ情報が送信される（ステップ１５２２）。フロントＤＢサーバから携帯端末１００内部に対して共有中であることが通知され、携帯端末１００のアプリケーションにより写真共有画面３４０が表示される（ステップ１５２３）。
例えば、フロントＤＢサーバには、撮影者携帯端末１００によって共有された写真の撮影者情報、写真が共有された位置情報を保持しており、近傍領域１の共有者端末が共有されている写真を検索することができる。
なお、位置情報については、携帯端末のＧＰＳ通信機能によりＧＰＳによって特定する方法、携帯端末の最寄りの基地局の位置によって特定する方法、携帯端末の無線ＬＡＮ通信機能により、店舗や会場の無線基地局の位置によって特定する方法をなどによって取得してもよいし、これらの方法を複合して取得するようにしても構わない。
・写真共有ボタン３０３
【００３１】
撮影者が図７に示した写真共有設定画面３３０において登録ボタン３３５をタップすると、撮影者による共有の開始がされる。これを受けて、撮影者の携帯端末１００の近傍領域にいる共有者の携帯端末１０１には、例えば図１０に示すＴＯＰ画面３００が表示され、ここで写真共有ボタン３０３をタップすると（ステップ１６０１）、共有者の携帯端末１０１から外部サービスに対して位置情報取得の依頼がされ（ステップ１６０２）、共有者の携帯端末１０１で位置情報が得られ（ステップ１６０３）、フロントＤＢサーバに共有者の携帯端末１０１の位置情報が送信される。フロントＤＢサーバではその位置情報の同じ位置で共有されている写真の情報を、共有者の携帯端末１０１に通知する（ステップ１６０５）。
【００３２】
そうすると、携帯端末１０１では、図１１に示すように、共有中写真一覧３５０が表示される。共有中写真一覧３５０では、近傍領域で共有中になっている撮影者の写真の、撮影者名、タイトル、写真のサムネイルが表示される。共有希望者であるユーザーが、共有中写真一覧３５０から共有する写真３５１を、サムネイル、撮影者、写真タイトルを見て例えばタップにより選択する（ステップ１６０６）。選択された情報は、共有者の携帯端末１０１よりフロントＤＢサーバに送信される（ステップ１６０７）。
・写真共有画面３４０
【００３３】
共有者側の操作の後、共有希望者の共有者表示名がフロントＤＢサーバから撮影者の携帯端末１００内部に送信される（ステップ１５２４）。写真共有画面３４０では、共有を希望している共有者のネームタグが表示され（ステップ１５２５）、撮影者が共有しても良い共有者のネームタグを写真内にドラッグすると（ステップ１５２６）、共有者が携帯端末１００内部にセットされる（ステップ１５２７）。
図８及び図９は、写真共有画面３４０の一例である。なお、図８は共有者希望者が入力される前の画面、図９は共有者希望者が入力された後の画面である。
【００３４】
写真共有画面３４０には、共有する写真３４１及び撮影者写真３４２が表示される。撮影者写真３４２は、ユーザー画面３１０で登録されている撮影者の写真が写真３４１内に表示される。写真３４１に隣接して、共有者希望者のネームタグ３４３が配置される。写真３４１の下部には、直接入力欄３４４、ＱＲコード３４５が配置される。直接入力欄３４４には、このアプリケーションプログラムの利用ができないユーザーが電子メールアドレス、ＳＮＳアカウントと表示名を入力し、これによりネームタグ３４３が作成される。携帯電話のユーザーは、ＱＲコード３４５を撮影し、写真を共有する。
すなわち、共有者の写真共有の方法としては、以下の３つがある。
１）このアプリケーションプログラムを有するユーザーには、ユーザーのアプリケーションプログラムを起動し、共有希望をしてもらう。
２）携帯電話のユーザーには、携帯電話にてＱＲコードを撮影し、電子メールを送信してもらう。
３）その他ユーザーには、直接入力欄３４４に、電子メールアドレス、Ｆａｃｅｂｏｏｋアカウント又はｔｗｉｔｔｅｒアドレスと名前を登録してもらう。
【００３５】
図９に示すように、写真に写っている人物の場所にネームタグ３４３をドラッグし（ステップ１５２６）、完了ボタン３４６を押す（ステップ１５２８）と、撮影者の携帯端末１００内部からフロントＤＢサーバに対して登録された共有者の情報が送信される（ステップ１５２９、１５３０）。また、完了ボタン３４６を押す（ステップ１５２８）事によって共有状態を終了させる通信がフロントＤＢサーバに送信されることで（ステップ１５２９、１５３０）、または一定時間が経過した場合（ステップ１５３１）に、フロントＤＢサーバから写真共有情報が削除され（ステップ１５３２）、共有者端末１０１から、同じ場所で共有されている写真として検索されなくなる。
【００３６】
写真にタグ付けされた人（登録された共有者の携帯端末１０１）のアプリケーションプログラムに共有の通知がされる（ステップ１６０８）。そうすると、共有者の携帯端末１０１では、例えば図１２に示すように、撮影者によって共有された写真３０１のサムネイルが表示される（更新マーク３０１ａが表示される）。ユーザーが写真３０１をタップすると（ステップ１６０９）、その情報がフロントＤＢサーバに送信され（ステップ１６１０）、フロントＤＢサーバから共有者の携帯端末１０１に写真がダウンロードされる（ステップ１６１１）。
・写真画面（通信用画面）３６０
写真画面３６０では、写真を共有した人同士がメッセージを交換する。
図１３は、写真画面３６０の一例である。
【００３７】
写真画面３６０に移ると、写真３６１が表示される。写真３６１の中には、ネームプレートの人物を指し示す人物タグ３６２が表示される。写真３６１の下には、写真内の人物名を表示するネームプレート３６３が表示される。ネームプレート３６３をタップすると、写真３６１内のその人物タグ３６２が光る。
【００３８】
ネームプレート３６３の下には、写真を共有した人同士がメッセージを交換するためのメッセージ欄３６４が設けられている。メッセージ欄３６４には、会話の内容が、吹き出し３６８を使って写真３６１内の人物が話しているような形で表示される。メッセージ欄３６４の隣には、メッセージ欄をスクロールさせてメッセージを見るためのスクロールボタン３６５が配置される。
【００３９】
メッセージ欄３６４の下には、メッセージボタン３６６、共有ボタン３６７等が配置される。メッセージボタン３６６を押すと、図１４に示すようなメッセージ入力画面３７０を開く。共有ボタン３６７を押すと、図８に示した写真共有画面３４０が表示され、写真に共有者を追加し、また人物タグの位置の編集が可能となる。
【００４０】
そして、撮影者も含めて共有者がメッセージ入力画面３７０においてメッセージを入力し（ステップ１６１２、１５３５）、送信すると（ステップ１６１３、１５３６、１５３７）、フロントＤＢサーバを介して各共有者にメッセージが通知されて表示される（ステップ１６１４、１５３３、１５３４）。
【００４１】
以上の実施形態は、携帯端末１００及び携帯端末１０１の両方が、写真を共有してメッセージ交換を行うためのアプリケーションプログラムを有する場合であったが、既に説明したとおり携帯端末１０１がアプリケーションプログラムを持たない携帯電話などである場合、携帯端末１０１が単にメールアドレスを有する場合についても本発明を適用できる。
［携帯端末１０１がアプリケーションプログラムを持たない携帯電話などである場合］
図１７はその場合のシステム全体の動作フローを示している。
【００４２】
アプリケーションプログラムを持たない携帯電話などの携帯端末１０１のユーザーは、ステップ１５２３において撮影者の携帯端末１００の写真共有画面３４０に表示されたＱＲコード３４５を携帯端末１０１のカメラに撮影し（ステップ１７０１）、このＱＲコード３４５を用いてＷｅｂサーバに対して写真共有のＵＲＬにアクセスする（ステップ１７０２）。そうすると、Ｗｅｂサーバから携帯端末１０１に写真共有画面が送信される（ステップ１７０３）。
【００４３】
図１８から図２１にその写真共有画面の一例を示す。図１８に示す画面４１０では、携帯ブラウザで、表示名入力画面４１１が開くので、表示名入力画面４１１にこの写真に表示する名前を入力し（ステップ１７０４）、メール作成ボタン４１２を押す。すると、図１９に示すメール画面４２０が起動し、件名４２２に表示名４１１が入り、必要な場合にはメッセージ欄４２３に撮影者へのメッセージを入力する。宛先４２１には共有された写真における登録用のＥメールアドレスが入力されており、そのままメールを送信する。このメールはメールサーバに送信され（ステップ１７０５）、メールサーバからフロントＤＢサーバにメールアドレス、表示名の仮登録がなされる（ステップ１７０６）。
【００４４】
すると、共有希望者の共有者表示名がフロントＤＢサーバから撮影者の携帯端末１００内部に送信される（ステップ１５２４）。写真共有画面３４０では、共有を希望している共有者のネームタグが表示され（ステップ１５２５）、撮影者が共有しても良い共有者のネームタグを写真内にドラッグすると（ステップ１５２６）、共有者が携帯端末１００内部にセットされる（ステップ１５２７）。
【００４５】
その後、完了ボタン３４６を押す（ステップ１５２８）と、撮影者の携帯端末１００内部からフロントＤＢサーバに対して登録された共有者の情報が送信され（ステップ１５２９、１５３０）、フロントＤＢサーバで携帯電話登録ユーザーへのメールが作成され、メールサーバを介して携帯端末１０１にメールが送信される（ステップ１７０７、１７０８）。図２０がそのメールの一例である。このメールの画面４３０において、「写真を見る」４３１を開くと（ステップ１７０９）、Ｗｅｂサーバから写真がダウンロードされる（ステップ１７１０、１７１１）。
【００４６】
また、「会話に参加する」４３２をクリックして開くと（ステップ１７１２）、Ｗｅｂサーバよりメールサーバを介してメッセージ登録用メールアドレスが通知される（ステップ１７１３、１７１４、１７１５）。このメッセージ登録用メールアドレスを使ってメッセージのやり取りが行われる。すなわち、メッセージメールを書いて送信すると（ステップ１７１６、１７１７）、メールサーバからフロントＤＢサーバにメッセージが投稿され（ステップ１７１８）、フロントＤＢサーバを介して各共有者にメッセージが通知されて表示される（ステップ１５３３、１５３４）。撮影者も含めて共有者からメッセージが入力され（ステップ１５３５）、送信されと（ステップ１５３６、１５３７）、フロントＤＢサーバからメールサーバを介して携帯端末１０１にメッセージが通知されて表示される（ステップ１７１９、１７２０）。図２１にメッセージが表示された画面４４０の一例を示す。共有者のメッセージがメールで送信されてくると、そのメッセージ４４１が表示され、このメールに返信することで写真での会話に参加できる。
［携帯端末１０１などが単にメールアドレスを有する場合］
図２２はその場合のシステム全体の動作フローを示している。
【００４７】
ステップ１５２３において撮影者の携帯端末１００の写真共有画面３４０に表示された直接入力欄３４４に電子メールアドレスおよび表示名を入力する（ステップ１８０１）。そうすると、携帯端末１００内部にその値がセットされ（ステップ１５３８）。写真共有画面３４０では、共有を希望している共有者のネームタグが表示され（ステップ１５２５）、ユーザーが共有しても良い共有者のネームタグを写真内にドラッグすると（ステップ１５２６）、共有者が携帯端末１００内部にセットされる（ステップ１５２７）。
【００４８】
その後、完了ボタン３４６を押す（ステップ１５２８）と、撮影者の携帯端末１００内部からフロントＤＢサーバに対して登録された共有者の情報が送信され（ステップ１５２９、１５３０）、フロントＤＢサーバで携帯電話登録ユーザーへのメールが作成され、メールサーバを介して携帯端末１０１にメールが送信される（ステップ１８０２、１８０３）。
【００４９】
図２３がそのメールの一例である。このメールの画面４５０において、「写真を見る」４５１を開くと（ステップ１８０４）、Ｗｅｂサーバから写真がダウンロードされる（ステップ１８０５、１８０６）。
【００５０】
また、「会話に参加する」４５２をクリックして開くと（ステップ１８０７）、Ｗｅｂサーバより会員登録用画面が表示される（ステップ１８０８、１８０９）。図２４はその会員登録用画面の一例であり、ここではユーザー名とパスワードが設定される。ユーザー名とパスワードが入力されると（ステップ１８１０）、フロントＤＢサーバにユーザーＩＤが登録され（ステップ１８１１）、Ｗｅｂサーバ上にユーザー専用のページが作成され（ステップ１８１２）、携帯端末１０１にはユーザー専用のＷｅｂページが表示される（ステップ１８１３）。図２５はそのユーザー専用のＷｅｂページの一例である。このＷｅｂページ４７０にはユーザーが共有している写真一覧４７１が表示される。
【００５１】
ここで、メッセージメールを書いて送信すると（ステップ１８１４、１８１５）、フロントＤＢサーバを介して各共有者にメッセージが通知されて表示される（ステップ１５３３、１５３４）。撮影者も含めて共有者からメッセージが入力され（ステップ１５３５）、送信されと（ステップ１５３６、１５３７）、フロントＤＢサーバからメールサーバを介して携帯端末１０１に更新の通知がされる（ステップ１８１６、１８１７）。携帯端末１０１において図２５の写真一覧より特定の写真ページを開くと（ステップ１８１８）、Ｗｅｂサーバからメッセージの入った写真画面が表示される（ステップ１８１９、１８２０）。図２６にその写真画面の一例を示す。この写真画面４８０では、写真４８１と共有者の一覧４８２、メッセージ４８３が表示される。またメッセージの書き込み４８４も行われる。
［ｆａｃｅｂｏｏｋアカントを使う場合］
図２７はその場合のシステムの一部の動作を示すフローである。
【００５２】
撮影者の携帯端末１００は、自分のＦａｃｅｂｏｏｋにログインし、共有写真をダウンロードし、図８に示した写真共有画面を表示する（ステップ１９０１、１９０２）。ここで、Ｆａｃｅｂｏｏｋアカウントを有する交換者ＡのＦａｃｅｂｏｏｋアカウントを携帯端末１００の直接入力欄３４４に入力すると（ステップ１９０３）、ｆａｃｅｂｏｏｋ上で人物の検索が行われ（ステップ１９０４、１９０５）、携帯端末１００には検索されたアカウントが表示される。ここでそのＦａｃｅｂｏｏｋアカウントを有する交換者Ａのアカウントを選択すると、撮影者のｆａｃｅｂｏｏｋアカウントに交換者Ａがフレンドとして追加され、これが図９に示した写真共有画面３４０にネームタグ３４３として表示される（ステップ１９０６、１９０７、１９０８）。以下、通常のｆａｃｅｂｏｏｋと同様のフレンドの承認が行われる（ステップ１９０９、１９１０）。
［実施形態の作用効果］
【００５３】
本実施形態に係るシステムでは、携帯端末１００の近傍領域に存在する携帯端末１０１から位置情報のシステムを使って写真の共有を行う事により、その都度、アドレスを入力する必要は無く、しかもそのように取得したアドレスを写真共有画面３４０上で写真に映っている人と結び付けさせているので、人とアドレスとの結び付けを簡単かつ直感的な操作で行うことができ、写真画面（通信用画面）３６０において結び付けられたアドレスを使ってメッセージのやり取りを視覚的に人と結び付けて行うことができる。
［変形例］
本発明は上記の実施形態に限定されず、さまざまに変形して実施が可能であり、それらも本発明の技術的範囲に属するものである。
【００５４】
例えば写真共有画面３４０でのネームタグのドラッグは、以下のように実施してもよい。図２８に示すように、ネームプレートを写真内にドラッグすると、図２９に示すように、ドラッグ中は○のようなドラッグポイントが表示される。顔の部分にドロップすると、図３０に示すように、ドラッグポイントは消え、ドラッグポイントから、タグ（荷物のタグのようなもの）が写真の外側に向けて表示される。図３１に示すように、ネームタグもドラッグ＆ドロップで移動できるので、適当な場所に配置できる。このように構成することで、顔の正確な位置が指定できる。また、どの人物を指しているか、タグの向きをわかりやすく配置できる。なお、この構成は、その他の機能、例えば顔をタップしてアドレス帳を開くなどに応用することができる。例えば顔がタップされると、その顔の人の電話番号やメールアドレスを写真の下などに表示するようにしてもよい。或いは、その顔の人の電話番号に直接発信したり、メールを送付するようにしてもよい。
【００５５】
図３２に示すように、写真画面３６０において、メッセージ欄３６４には、会話の内容が、吹き出し３６８を使って写真３６１内の人物が話しているような形で表示してもよい。すなわち、メッセージを誰が話しているのか、写真内の人物と紐づけし、そのメッセージを書き込んだ人物の顔の部分から、吹き出し３６８が表示される。そして、メッセージをスクロールさせると、図３３に示すように、吹き出し３６８元が変わる。これにより、メッセージの発言者を視覚的に直感することができる。
【００５６】
図８及び図９等に示したように、共有者だけでなく、撮影者の写真を例えば左上に表示している。この場合、２カメラを有し、自分撮りが可能な携帯端末の場合には、裏面カメラ（通常カメラ）で被写体を画面内に入れ、自分撮りカメラの撮影者の顔を入れ、分撮りカメラ枠を拡大縮小したり、ドラッグ＆ドロップで移動させ、適当な場所に配置して撮影すると撮影者も写真内に写り込むように構成すればよい。また、自分撮りのない１カメラの携帯端末の場合には、裏面カメラで被写体を画面内に入れ、最初に撮影し、カメラに撮影者を入れ、自分撮りカメラ枠を拡大縮小したり、ドラッグ＆ドロップで移動させ、適当な場所に配置し、２度目の撮影をして撮影者も写真内に写り込むように構成すればよい。なお、写真の左上に撮影者を配置せずに、真ん中の人物や背景を軸にして、両サイドに人物（撮影者）を追加し、1枚の写真にしてもよい。
【００５７】
共有画面を作成する際に、ソーシャルグラフ（Facebook、mixi等）から集合写真を作るようにしてもよい。例えばFacebook、mixiの友人（マイミク）から、特定のキーワード（趣味、仕事等）で人物を選択し、そのキーワードに合わせた写真を自動で作成してもよい。 例えば、病院関係の共通画面を作成する場合には、キーワードを設定し（例：仕事ー病院）、病院の背景、衣装を自動的に表示し、集合写真では自分に近い人（つながりが深い人）が近くに、遠い人（繋がりの少ない人）が遠くに表示されるようにすればよい。
【００５８】
音声認識によって写真共有者の特定をしてもよい。例えば、撮影者端末で写真を撮影し、共有者端末と撮影者端末を並べ、両端末に同じ音（声）を入れ、両端末からそれぞれサーバに音データを送り、両端末が近くにあることを認識し、写真の共有を始めるように構成してもよい。 
【００５９】
通常、パーティーや名刺交換の場でFacebook,twitter等のアカウントを教えてもらっても、自宅ＰＣ等でＳＮＳ上で人物検索を行い、友人登録やフォロワーの登録を行わなければならないが、パーティー等の場で、図８に示した写真共有画面３４０でＳＮＳアカウントを入力してもらうことで、友人登録やフォロワー登録をその場で行うことができる。
【００６０】
メッセージの交換ばかりでなく、音声やクーポン、シールなどの交換もメッセージと同様に写真画面３６０を用いて視覚的に直感できるように行うことができる。
なお、以上の説明において、フロントサーバは、ユーザー情報、写真とタグ情報、メッセージ情報などを保存するほか、携帯端末との通信を行い、ユーザー認証、写真、タグ情報をアップロード、更新、ダウンロードを行うものである。
メールサーバは、主に携帯電話ユーザーに対するメールの送受信を行うもので、フロントサーバと連携し、携帯電話ユーザーへの写真の配布、写真に投稿されたメッセージの送信を行う。携帯電話ユーザーからのメールによるメッセージを受信し、写真のメッセージに自動的に投稿する。
ＷＥＢサーバは、フロントサーバと連携し、インターネットによる通信によって、ユーザー登録・認証、写真の閲覧、メッセージの書き込みを行うものである。
外部サーバは、ユーザー情報を持ちユーザーの認証を代理に行うサービスを提供しているもの、また、携帯端末からのＧＰＳ、接続している携帯電話基地局、無線基地局から位置を特定し位置情報を提供するサービスが提供しているものがあり、それを利用することで、携帯端末の位置を特定したり、アプリケーションのユーザーとして認証することができる。
【符号の説明】
【００６１】
１  近傍領域
２  通信ネットワーク
１００、１０１  携帯端末
１１１  制御部
１１２  ＲＯＭ（Read Only Memory）
１１３  ＲＡＭ（Random Access Memory）
１１４  バス
１１５  入出力インターフェース
１１６  カメラ
１１７  タッチスクリーン
１１８  ネットワーク
【図１】
0005503597.tif 000002
【図２】
0005503597.tif 000003
【図３】
0005503597.tif 000004
【図１４】
0005503597.tif 000005
【図１５】
0005503597.tif 000006
【図１６】
0005503597.tif 000007
【図１７】
0005503597.tif 000008
【図１８】
0005503597.tif 000009
【図１９】
0005503597.tif 000010
【図２０】
0005503597.tif 000011
【図２１】
0005503597.tif 000012
【図２２】
0005503597.tif 000013
【図２３】
0005503597.tif 000014
【図２４】
0005503597.tif 000015
【図２７】
0005503597.tif 000016
【図４】
0005503597.tif 000017
【図５】
0005503597.tif 000018
【図６】
0005503597.tif 000019
【図７】
0005503597.tif 000020
【図８】
0005503597.tif 000021
【図９】
0005503597.tif 000022
【図１０】
0005503597.tif 000023
【図１１】
0005503597.tif 000024
【図１２】
0005503597.tif 000025
【図１３】
0005503597.tif 000026
【図２５】
0005503597.tif 000027
【図２６】
0005503597.tif 000028
【図２８】
0005503597.tif 000029
【図２９】
0005503597.tif 000030
【図３０】
0005503597.tif 000031
【図３１】
0005503597.tif 000032
【図３２】
0005503597.tif 000033
【図３３】
0005503597.tif 000034